(57)【要約】      （修正有）【課題】労力が少なくてすみ、地面の雪かきに適用することができる除雪具を提供する。【解決手段】本体１と、本体１に取り付けられる棒状部材の柄部２とからなり、本体１は、柄部２を押す方向に向かって逆Ｖ字状に互いに接近して端面が接合された左右の掻き分け板４、５と、本体１の背面に設けられ、柄部２の先端が嵌合される嵌合部とを有し、掻き分け板４、５のそれぞれは、後方に傾斜すると共に、後方に向かって膨らむように湾曲され、本体１底辺と柄部２の中心軸とが平行にならないように構成する。【選択図】図１
0003194842.tif 000002
【実用新案登録請求の範囲】
【請求項１】
本体と、前記本体に取り付けられる棒状部材の柄部とからなり、
前記本体は、前記柄部を押す方向に向かって逆Ｖ字状に互いに接近して端面が接合された左右の掻き分け板と、前記本体の背面に設けられ、前記柄部の先端が嵌合される嵌合部とを有し、
前記掻き分け板のそれぞれは、後方に傾斜すると共に、後方に向かって膨らむように湾曲され、本体底辺と前記柄部の中心軸とが平行にならないように構成した除雪具。
【請求項２】
前記掻き分け板は、上部の曲率が下部の曲率より大とされる請求項１に記載の除雪具。
【請求項３】
前記嵌合部の中心の延長線上に、エッジの接する頂部が位置する請求項１または請求項２に記載の除雪具。
【請求項４】
前記掻き分け板に対して接合位置より外側に斜めに向かう複数の突条が形成された請求項１乃至請求項３の何れかに記載の除雪具。
【請求項５】
前記本体に対して前記柄部が取り付けおよび取り外しが自在とされる請求項１乃至請求項４の何れかに記載の除雪具。
【考案の詳細な説明】
【技術分野】
【０００１】
本考案は、除雪具に関する。
【背景技術】
【０００２】
人力による除雪具としては、作業者が手に持って使用するショベル、雪をすくう本体部を地面に滑らせるスノーダンプ等が知られている。何れの除雪具の場合も、すくった雪を邪魔にならない場所に運んだり、投げたりする必要があり、除雪に要する労力が大きい問題があった。そこで、雪の積もった場所に人が通る道を確保することができ、雪を運んだり、投げたりする必要のない除雪具が望ましい。
【０００３】
この種の除雪具として、ラッセル車のように、逆Ｖ字状となるように、二つの案内面が形成され、人が柄部を持って押すようにした除雪具が考えられる。例えば特許文献１には、このような除雪具が記載されている。
【先行技術文献】
【特許文献】
【０００４】
【特許文献１】登録実用新案第３１６８５０５号
【考案の概要】
【考案が解決しようとする課題】
【０００５】
しかしながら、特許文献１に記載の除雪具は、屋根の雪おろしに使用するもので、底板と棒部材とがほぼ同一延長線上に位置する構成とされている。したがって、かかる除雪具は、道路等の地面の雪かきに適用することが難しい問題があった。
【０００６】
したがって、本考案の目的は、労力が少なくてすみ、地面の雪かきに適用することができる除雪具を提供することにある。
【課題を解決するための手段】
【０００７】
本考案は、本体と、本体に取り付けられる棒状部材の柄部とからなり、
本体は、柄部を押す方向に向かって逆Ｖ字状に互いに接近して端面が接合された左右の掻き分け板と、本体の背面に設けられ、柄部の先端が嵌合される嵌合部とを有し、
掻き分け板のそれぞれは、後方に傾斜すると共に、後方に向かって膨らむように湾曲され、本体底辺と柄部の中心軸とが平行にならないように構成した除雪具である。
【考案の効果】
【０００８】
本考案の少なくとも一の実施形態によれば、雪を除いて通り道を確保することができ、そのために要する労力が少なくてすむ除雪具を提供できる。なお、本明細書において例示された効果により本考案の内容が限定して解釈されるものではない。
【図面の簡単な説明】
【０００９】
【図１】本考案の一実施の形態の斜視図である。
【図２】本考案の一実施の形態の後方から見た斜視図である。
【図３】本考案の一実施の形態の側面図である。
【図４】本考案の一実施の形態の上面図である。
【図５】本考案の一実施の形態の底面図である。
【図６】本考案の一実施の形態の背面図である。
【図７Ａ】本考案の一実施の形態において、本体と柄部との取付構造の一例の断面図である。
【図７Ｂ】本考案の一実施の形態において、本体と柄部との取付に使用する抜け止めピンの一例の正面図である。
【図７Ｃ】本考案の一実施の形態において、本体と柄部との取付構造の一部斜視図である。
【考案を実施するための形態】
【００１０】
以下に説明する実施の形態は、本考案の好適な具体例であり、技術的に好ましい種々の限定が付されている。しかしながら、本考案の範囲は、以下の説明において、特に本考案を限定する旨の記載がない限り、これらの実施の形態に限定されないものとする。
なお、本考案の説明は、下記の順序にしたがってなされる。
＜１．一実施の形態＞
＜２．変形例＞
【００１１】
＜１．一実施の形態＞
図１乃至図６は、本考案の一実施の形態の全体の構成を示している。除雪具は、本体１と、本体１に取り付けられる棒状部材の柄部２とからなる。柄部２には、グリップ３が取り付けられている。本体１は、合成樹脂例えばポリカーボネートを成型したものである。柄部２は、塩化ビニール樹脂被覆鋼管であり、グリップ３は、合成樹脂例えばポリプロピレンを成型したものである。除雪時には、グリップ３を持って柄部２を押すことによって本体１が前進するようになされている。
【００１２】
本体１は、前進方向に向かって逆Ｖ字状に互いに接近して端面が接合されると共に、後方に傾斜するように一体に成型された左右の掻き分け板４および５を有する。掻き分け板４および５の先端同士の幅は、除雪後に人が歩ける幅の道を形成することができること、並びに除雪時に人が重みで押せなくなることを考慮して選定されている。例えば３０cm〜６０cmの範囲の幅とされている。特に，５０cm程度の幅が好ましい。さらに、掻き分け板４および５は、後方に向かって突出するように湾曲されている。掻き分け板４および５の前面側には、複数の突条６が形成されている。突条６は、掻き分け板４、５の接合部から外側に向かって拡がるように斜めに形成されている。突条６は、雪が掻き分け板４、５に付着することを防止すると共に、強度を増すための機能を有している。
【００１３】
掻き分け板４および５は、異なる曲率でもって湾曲された上部と下部とをそれぞれ有する。下部の曲率に比して上部の曲率が大とされている。下部の先端にエッジ７、８がそれぞれ形成されている。除雪時には、エッジ７、８が地面よりやや上の面にささり、グリップ３を持って柄部２を押すことによって本体１が前進し、積雪が掻き分け板４、５の面に沿って左右に掻き分けられる。この場合、突条６に沿って雪が移動するので、雪が掻き分け板４、５に付着しないで左右に掻き分けられる。さらに、上部の曲率が大とされ、上側の端面がオーバーハングしているので、掻き分け板４、５の上方に向かう雪が本体１の後方に落ちることを防止することができる。
【００１４】
本考案の一実施の形態では、本体１に対して柄部２が着脱自在とされている。掻き分け板４、５の背面側の接合部（中心）の位置に柄部２の先端が嵌合される嵌合部としての筒部９が一体的に形成されている。柄部２の長さと水平面に対してなす角度は、柄部２の長さに応じて使用時に腰付近にグリップ３が位置するように設定されている。一例として、柄部２の長さが約１３０cmとされ、角度が３０°〜５０°、好ましくは４０°前後とされている。
【００１５】
図７を参照して柄部２の筒部９に対する取付について説明する。柄部２の先端に対して、図７Ａに示すように、合成樹脂例えばポリプロピレンのソケット１０が固着されている。ソケット１０の先端が小径とされ、筒部９の先端の開口を貫通して外部に露出する。この先端に対して、図７Ｂに示すような抜け止め防止用のピン１１の直線部１２が挿入される。
【００１６】
ピン１１は、ステンレス製の線材を折り曲げ成形してバネ性を持たしたものである。直線部１２の一端が折り曲げられてほぼ円形の頭部１３が形成される。さらに、線材が折り曲げられて湾曲された押さえ部１４が形成される。図７Ｃに示すように、ソケット１０の露出した先端の貫通孔に対してピン１１の直線部１２が挿入されると共に、押さえ部１４がソケット１０の先端の周面を押さえることによって、ソケット１０（柄部２）が本体１から抜けないようになされる。なお、ピン１１の頭部１３に革等のタグ１５が取り付けられており、ピン１１を抜く場合にタグ１５を引っ張るようになされている。
【００１７】
なお、本体１と柄部２との接続構成は、上述した構成以外のものを使用することができる。例えばソケットの先端に空隙が形成されて、先端の直径が圧縮可能とされ、筒部に圧縮状態で挿入され、筒部より飛び出した状態で先端の直径が戻り、抜け止めがなされる構成が可能である。さらに、柄部２と筒部９との間に、キーおよびキー溝からなる回り止め機構を設けるようにしても良い。
【００１８】
掻き分け板４、５の背面と筒部９との間には、複数の補強用支持板１６が設けられ、柄部２を押した時に大きな力が接続部に加わっても破損等が発生しないようになされている。さらに、筒部９の中心の延長線上にエッジ７およびエッジ８の接する頂部が位置するようになされる。このような位置関係によって、柄部２を押した場合に頂部に対して最も強い力が加わるようにすることができる。
【００１９】
＜２．変形例＞
以上、本考案の実施形態について具体的に説明したが、上述の各実施形態に限定されるものではなく、本考案の技術的思想に基づく各種の変形が可能である。例えば、上述の実施形態において挙げた構成、方法、工程、形状、材料および数値などはあくまでも例に過ぎず、必要に応じてこれと異なる構成、方法、工程、形状、材料および数値などを用いてもよい。例えばエッジ７、８を例えばステンレスで覆うようにして強度を増すようにしても良い。
【符号の説明】
【００２０】
１・・・本体
２・・・柄部
４，５・・・掻き分け板
６・・・突条
７，８・・・エッジ
９・・・筒部
１１・・・ピン
【図１】
0003194842.tif 000003
【図２】
0003194842.tif 000004
【図３】
0003194842.tif 000005
【図４】
0003194842.tif 000006
【図５】
0003194842.tif 000007
【図６】
0003194842.tif 000008
【図７】
0003194842.tif 000009
【手続補正書】
【提出日】平成26年10月23日(2014.10.23)
【手続補正１】
【補正対象書類名】明細書
【補正対象項目名】０００９
【補正方法】変更
【補正の内容】
【０００９】
【図１】本考案の一実施の形態の斜視図である。
【図２】本考案の一実施の形態の後方から見た斜視図である。
【図３】本考案の一実施の形態の側面図である。
【図４】本考案の一実施の形態の上面図である。
【図５】本考案の一実施の形態の底面図である。
【図６】本考案の一実施の形態の背面図である。
【図７】本考案の一実施の形態を説明するための略線図である。Ａは、本体と柄部との取付構造の一例の断面図である。Ｂは、本体と柄部との取付に使用する抜け止めピンの一例の正面図である。Ｃは、本体と柄部との取付構造の一部斜視図である。